(57)【要約】【課題】従来の音声調整回路において、自然な感じで音源が遠ざかっていく距離感を出すためには、フェーダ、イコライザ、およびプリフェーダからのＡＵＸ送りの３つの調整要素をリアルタイムで調整する必要があった。【解決手段】イコライザ３と、フェーダ４と、全音声周波数帯域にわたる音声信号レベルとその帯域中の高域音声周波数成分の音声信号レベルとを連動させて減衰または増加し得る距離フィルタ５と、パン回路６とが順次接続された縦続回路を少なくとも具えて構成した。【選択図】        図１
2004235872.tif 000002
【特許請求の範囲】
【請求項１】
イコライザと、フェーダと、全音声周波数帯域にわたる音声信号レベルと前記帯域中の高域音声周波数成分の音声信号レベルとを連動させて減衰または増加し得る距離フィルタと、パン回路とが順次接続された縦続回路を少なくとも具えてなることを特徴とする音声調整回路。
【請求項２】
請求項１記載の音声調整回路において、前記距離フィルタは、当該フィルタへの入力音声信号を任意のレベルに減衰し得る可変減衰器と遮断周波数可変の低域通過フィルタとがそれらのいずれかを前段として縦続配置されてなり、前記可変減衰器の減衰量と前記低域通過フィルタの遮断周波数を、前記減衰量を大きくしたときには前記遮断周波数が小さくなるように連動させて可変し得るように構成されていることを特徴とする音声調整回路。
【発明の詳細な説明】
【０００１】
【発明の属する技術分野】
本発明は、音声ミキシング卓等に使用される音声調整回路に関する。
【０００２】
【従来の技術】
図４は、従来の音声ミキシング卓の一構成例をブロック図で示している。
図４では、音声ミキシング卓を構成する音声調整回路がヘッドアンプ１５からパン回路１８までで構成される回路として示されている。また、図４では、これと同じ回路構成の２つの音声調整回路も破線枠で示されている。
入力端子１４に印加された音声信号はヘッドアンプ１５により規定のレベルに増幅され、イコライザ１６によって音色調整がなされる。その後、可変抵抗器で構成されたフエーダ１７に入力され、音量の調整が行われる。フェーダ１７の出力信号はパン回路１８に入力されて、左チャンネル用のバス（ＢＵＳ）と右チャンネル用のバス（ＢＵＳ）１９に、音声を定位させたい割合で分岐される。
【０００３】
また、フェーダ１７の入力および出力信号（それぞれ、プリフェーダ２０およびポストフェーダ２１）が図示の切替スイッチを介して外部系統（ＡＵＸ）２２に接続される。ＡＵＸ２２は外部のリバーブ回路２３に入力され、入力された信号から響きの成分を発生させる。そして、リバーブ回路２３からの２つの出力信号は、それぞれ入力端子２４，２５を介して破線枠で示す２つの別の音声調整回路に入力され、バス１９においてもとの信号に加算されるようになっている。
【０００４】
【非特許文献１】
前川純、森本政之、阪上公博著、「建築・環境音響学」（第２版）、ｐ５３およびｐ９７、共立出版より２０００年９月２５日発行
【０００５】
【発明が解決しようとする課題】
上述した従来の音声ミキシング卓の音声調整回路の役割は、イコライザ１６、フェーダ１７、パン回路１８を操作して入力した音の音色、音量、音の方向感、および音の距離感を調整することにある。これらのうち、音の距離感の調整は、距離に応じて音量、音色、直接音対間接音のエネルギー比を調整することにより行われる。しかし、自然な感じで音源が遠ざかっていく距離感を出すためには、上記各調整要素をそれぞれ単独に調整するだけでは十分でなく、音量を下げると同時に、空気に吸収される筈の高域周波数成分を減衰させ（例えば、非特許文献１参照）、かつ間接音に対する直接音の比を下げなければならないという問題があった。
【０００６】
これを、従来の音声調整回路で行おうとすると、音の距離減衰（全音声周波数帯域にわたる減衰）をフェーダ１７で行い、これに加えて高域音声周波数成分の減衰をイコライザ１６で行う必要があり、さらに、間接音に対する直接音の比はプリフェーダ２０からＡＵＸ２２に送られた信号をリバーブ回路２３に入力して間接音成分を生成し、これを２つの別の音声調整回路（図２に破線枠で示される）に戻してもとの音声信号と混合する割合を調整する必要があった。
【０００７】
このように、距離感を制御するためにはイコライザ１６、フェーダ１７、ＡＵＸ２２送り量のすべてを連動して調整しなければならないが、これら３つの要素を両手でリアルタイムに行うことは困難であり、例えば、１つの要素であるイコライザの調整を省略することが多く、そのため、自然な感じで距離感を変化させることができなかった。
【０００８】
以上は、音源が遠ざかっていくように距離感を制御する場合について説明したが、逆に、音源が近づいてくるように距離感を制御する場合についても、イコライザ１６、フェーダ１７、ＡＵＸ２２送り量のすべてを連動して調整しなければならず、同様の問題が起こり得る。
【０００９】
本発明の目的は、自然な感じで距離感を調整し、しかも簡単な操作でそれを行い得る音声調整回路を提供することにある。
【００１０】
【課題を解決するための手段】
上記目的を達成するため、本発明音声調整回路は、イコライザと、フェーダと、全音声周波数帯域にわたる音声信号レベルと前記帯域中の高域音声周波数成分の音声信号レベルとを連動させて減衰または増加し得る距離フィルタと、パン回路とが順次接続された縦続回路を少なくとも具えてなることを特徴とするものである。
【００１１】
また、本発明音声調整回路は、前記距離フィルタが、当該フィルタへの入力音声信号を任意のレベルに減衰し得る可変減衰器と遮断周波数可変の低域通過フィルタとがそれらのいずれかを前段として縦続配置されてなり、前記可変減衰器の減衰量と前記低域通過フィルタの遮断周波数を、前記減衰量を大きくしたときには前記遮断周波数が小さくなるように連動させて可変し得るように構成されていることを特徴とするものである。
【００１２】
【発明の実施の形態】
以下に添付図面を参照し、発明の実施の形態に基づいて本発明を詳細に説明する。
図１は、本発明音声調整回路を用いて構成した音声ミキシング卓の一構成例をブロック図で示している。
図１において、１，１０，１１は入力端子、２はヘッドアンプ、３はイコライザ、４はフェーダ、５は距離フィルタ、６はパン回路、７はＢＵＳ、８はＡＵＸ、および９はリバーブ回路である。
【００１３】
動作につき説明する。
入力端子１に印加された音声信号は、従来の音声調整回路と同様、ヘッドアンプ２、イコライザ３、およびフエーダ４に順次入力される。フェーダ４の出力信号は音の距離感を調整するための距離フィルタ５に入力され、そこで、全音声周波数帯域にわたる音声信号レベルとその帯域中の高域音声周波数成分の音声信号レベルとを連動させて減衰または増加させるようにする。
【００１４】
このように、音源までの距離に応じて全音声周波数帯域にわたる音声信号レベルとその帯域中の高域音声周波数成分の音声信号レベルとを連動させて減衰または増加させた後、パン回路６を経由してバス７に送られる。パン回路６とバス７の目的および動作は、従来技術の項において説明したので、ここではその説明を省略する。
【００１５】
また、フェーダ４の出力信号は、可変減衰器４ａを経由してＡＵＸ８にも接続される。ＡＵＸ８は外部のリバーブ回路９に入力され、響きの信号が生成されて出力される。リバーブ回路９からの２つの出力信号は、それぞれ入力端子１０，１１を介して破線枠で示す２つの別の音声調整回路に入力され、バス７においてもとの信号に加算される（従来技術の項参照）。
【００１６】
図２は、本発明音声調整回路に使用する距離フィルタの一般的な構成をブロック図で示している。
図２において、１２は可変減衰器、および１３は低域通過フィルタである。
【００１７】
動作につき説明する。
図２において、まず、フェーダ４（図１参照）の出力音声信号が可変減衰器１２に入力され、可変減衰器１２の減衰量に応じて減衰した出力音声信号が取り出される。取り出された出力音声信号は低域通過フィルタ１３に入力されて、全音声帯域信号のうち遮断周波数以下の音声成分信号が取り出されてパン回路６へ出力される。
【００１８】
そして、可変減衰器１２の減衰量と低域通過フィルタ１３の遮断周波数の関係は、可変減衰器１２の減衰量を大きくしたときには高域音声周波数成分の音声信号レベルが減衰する（空気吸収の効果による）ように、低域通過フィルタ１３の遮断周波数が小さくなるように連動させて可変し得るように構成する。
なお、可変減衰器１２と低域通過フィルタ１３とは、低域通過フィルタ１３が前段で可変減衰器１２が後段に配置されていてもよい。
【００１９】
図３は、本発明音声調整回路に使用する距離フィルタを、可変抵抗器とＣＲ素子による低域通過フィルタとで構成した一実施形態を示している。
図３において、Ｒ１  は可変抵抗器、Ｒ２  は抵抗器、およびＣ１  は可変コンデンサである。
【００２０】
動作につき説明する。
図３においては、可変抵抗器Ｒ１  の両端（一端は接地）にフェーダ４（図１参照）の出力音声信号が入力され、可変抵抗器Ｒ１  のしゅうどう接点と接地間に任意の割合で分圧された音声信号が取り出される。取り出された音声信号は、抵抗器Ｒ２  と可変コンデンサＣ１  からなる低域通過フィルタに入力され、可変コンデンサＣ１  の両端（一端は接地）から全音声帯域のうちの低域成分信号のみが取り出されてパン回路６へ出力される。
【００２１】
本実施形態の場合も、図２の場合と同様、入力音声信号の可変抵抗器Ｒ１  による減衰を大きくしたときには高域音声周波数成分の音声信号レベルが減衰するように、可変抵抗器Ｒ１  の分圧比と可変コンデンサＣ１  の容量（低域通過フィルタの遮断周波数を決定する）を連動させて調整する。
【００２２】
また、図３に示した実施形態は、最も単純な例であり、演算増幅器（ＯＰアンプ）等を用いた能動フィルタ回路を使用することにより、より正確に空気吸収の効果を疑似できることは言うまでもない。
【００２３】
以上の説明においては、音源が遠ざかっていく感じを出すために、全音声周波数帯域にわたる音声信号の減衰量を大きくするとともに、これに連動させて高域音声周波数成分の音声信号レベルを減衰（低域通過フィルタの遮断周波数を小さくする）させたが、逆に、音源が近づいてくる感じを出すときには、全音声周波数帯域にわたる音声信号の減衰量を小さくするとともに、これに連動させて高域音声周波数成分の音声信号レベルを増加（低域通過フィルタの遮断周波数を大きくする）させるようにすればよい。
【００２４】
【発明の効果】
本発明によれば、自然な感じで音源からの距離感を調整するには、ポストフェーダからのＡＵＸ送りと距離フィルタを調整する（つまり、２つの調整要素を調整する）のみでよく、従来のように、フェーダによりレベルを下げ、イコライザで高域を下げ、プリフェーダからのＡＵＸ送りを調整するという３つの調整要素を調整する必要がなくなる。これにより、ミキサなど音声技術者の労力を大幅に減少させるだけでなく、制作された番組の質を大いに向上させることができる。
【図面の簡単な説明】
【図１】本発明音声調整回路を用いて構成した音声ミキシング卓の一構成例をブロック図で示している。
【図２】本発明音声調整回路に使用する距離フィルタの一般的な構成をブロック図で示している。
【図３】本発明音声調整回路に使用する距離フィルタを、可変抵抗器とＣＲ素子による低域通過フィルタとで構成した一実施形態を示している。
【図４】従来の音声ミキシング卓の一構成例をブロック図で示している。
【符号の説明】
１，１０，１１  入力端子
２  ヘッドアンプ
３  イコライザ
４  フェーダ
４ａ  可変減衰器
５  距離フィルタ
６  パン回路
７  ＢＵＳ
８  ＡＵＸ
９  リバーブ回路
１２  可変減衰器
１３  低域通過フィルタ
Ｒ１   可変抵抗器
Ｒ２  抵抗器
Ｃ１   可変コンデンサ
【図１】
2004235872.tif 000003
【図２】
2004235872.tif 000004
【図３】
2004235872.tif 000005
【図４】
2004235872.tif 000006